(57)【要約】【課題】従来の技術による諸問題を解決するため、改良された回路を有し、さまざまな設定を可能にした携帯型ドライヤーを提供する。【解決手段】携帯型ドライヤーは、一端に開口を有するハウジングと、ファンを回転させるモーターと、モーターと接続される第一加熱素子と、モーターと第一加熱素子と接続される第二加熱素子と、第三加熱素子と、第三加熱素子に接続される第四加熱素子と、携帯型ドライヤーの作動を制御するスイッチと、携帯型ドライヤーに必要な電力を供給する電力供給ユニットとを含む。【選択図】図１
2005066349.tif 000002
【特許請求の範囲】
【請求項１】
携帯型ドライヤーは、
一端に開口を有するハウジングと、
ファンを回転させるモーターと、
モーターに接続される第一加熱フィラメントと、
モーターと第一加熱フィラメントに接続される第二加熱フィラメントと、
第三加熱フィラメントと、
第三加熱フィラメントに接続される第四加熱フィラメントと、
携帯型ドライヤーの作動を制御するスイッチと、
携帯型ドライヤーに必要な電力を供給する電力供給ユニットとを含み、そのうちスイッチがオフ位置に置かれると、電力供給ユニットはモーターと各加熱フィラメントに接続せず、スイッチが第一操作位置に置かれると、モーターは第一加熱フィラメントに直列接続されてから第三加熱フィラメントに並列接続され、スイッチが第二操作位置に置かれると、第一加熱フィラメントと第二加熱フィラメントは並列接続されてからモーターに直列接続され、更に第三加熱フィラメントと第四加熱フィラメントに並列接続されることを特徴とする携帯型ドライヤー。
【請求項２】
前記スイッチが第一操作位置に置かれると、第二加熱フィラメントと第四加熱フィラメントはいずれも電力供給ユニットに接続されないことを特徴とする請求項１の携帯型ドライヤー。
【請求項３】
前記スイッチは導体と複数の接続ノードを有し、導体は複数の接続ノードに選択的に接続されることによって、電力供給ユニットがモーターと各加熱フィラメントに電気的に接続されないようにさせるか、または電力供給ユニットをモーターと第三加熱フィラメントに電気的に接続するか、もしくは電力供給ユニットをモーターと第三加熱フィラメントと第四加熱フィラメントに電気的に接続することを特徴とする請求項１の携帯型ドライヤー。
【請求項４】
前記導体は回転できるように携帯型ドライヤーに設けられ、複数の接続ノードに選択的に接続されることを特徴とする請求項３の携帯型ドライヤー。
【請求項５】
前記導体は移動できるように携帯型ドライヤーに設けられ、複数の接続ノードに選択的に接続されることを特徴とする請求項３の携帯型ドライヤー。
【請求項６】
前記スイッチがシーソー型であることを特徴とする請求項３の携帯型ドライヤー。
【請求項７】
前記携帯型ドライヤーは更に、電力供給ユニットに電気的に接続されて電力供給ユニットの出力電圧レベルを引き上げるための変圧器を含むことを特徴とする請求項１の携帯型ドライヤー。
【請求項８】
前記携帯型ドライヤーは更に、電力供給ユニットに電気的に接続されて携帯型ドライヤーの損害を防止するための過負荷保護装置を含むことを特徴とする請求項１の携帯型ドライヤー。
【請求項９】
携帯型ドライヤーは、
一端に開口を有するハウジングと、
ファンを回転させるモーターと、
モーターに接続される第一加熱フィラメントと、
モーターと第一加熱フィラメントに接続される第二加熱フィラメントと、
第三加熱フィラメントと、
第三加熱フィラメントに接続される第四加熱フィラメントと、
携帯型ドライヤーの作動を制御するスイッチと、
携帯型ドライヤーに必要な電力を供給する電力供給ユニットとを含み、そのうちスイッチがオフ位置に置かれると、電力供給ユニットはモーターと各加熱フィラメントに接続されず、スイッチが第一操作位置に置かれると、モーターは第一加熱フィラメントに直列接続されてから第三加熱フィラメントに並列接続され、スイッチが第二操作位置に置かれると、第一加熱フィラメントと第二加熱フィラメントは並列接続されてからモーターに直列接続され、更に第四加熱フィラメントに並列接続されることを特徴とする携帯型ドライヤー。
【請求項１０】
前記スイッチが第一操作位置に置かれると、第二加熱フィラメントと第四加熱フィラメントはいずれも電力供給ユニットに接続されないことを特徴とする請求項９の携帯型ドライヤー。
【請求項１１】
前記スイッチは導体と複数の接続ノードを有し、導体は複数の接続ノードに選択的に接続されることによって、電力供給ユニットがモーターと各加熱フィラメントに電気的に接続されないようにさせるか、または電力供給ユニットをモーターと第三加熱フィラメントに電気的に接続されるか、もしくは電力供給ユニットをモーターと第四加熱フィラメントに電気的に接続することを特徴とする請求項１０の携帯型ドライヤー。
【請求項１２】
前記導体は回転できるように携帯型ドライヤーに設けられ、複数の接続ノードに選択的に接続されることを特徴とする請求項１１の携帯型ドライヤー。
【請求項１３】
前記導体は移動できるように携帯型ドライヤーに設けられ、複数の接続ノードに選択的に接続されることを特徴とする請求項１１の携帯型ドライヤー。
【請求項１４】
前記スイッチがシーソー型であることを特徴とする請求項１１の携帯型ドライヤー。
【請求項１５】
前記携帯型ドライヤーは更に、電力供給ユニットに電気的に接続されて電力供給ユニットの出力電圧レベルを引き上げるための変圧器を含むことを特徴とする請求項９の携帯型ドライヤー。
【請求項１６】
前記携帯型ドライヤーは更に、電力供給ユニットに電気的に接続されて携帯型ドライヤーの損害を防止するための過負荷保護装置を含むことを特徴とする請求項９の携帯型ドライヤー。
【請求項１７】
携帯型ドライヤーは、
一端に開口を有するハウジングと、
ファンを回転させるモーターと、
モーターに接続される第一加熱素子と、
第二加熱素子と、
第二加熱素子に接続される第三加熱素子と、
携帯型ドライヤーの作動を制御するスイッチと、
携帯型ドライヤーに必要な電力を供給する電力供給ユニットとを含み、そのうちスイッチがオフ位置に置かれると、電力供給ユニットはモーターと諸加熱素子に接続されず、スイッチが第一操作位置に置かれると、モーターは第一加熱素子に直列接続されてから第二加熱素子に並列接続され、スイッチが第二操作位置に置かれると、モーターは第二加熱素子と第三加熱素子に並列接続されることを特徴とする携帯型ドライヤー。
【請求項１８】
前記携帯型ドライヤーは更に、モーターと第一加熱素子に接続される第四加熱素子を含み、スイッチがオフ位置に置かれると、第四加熱素子は電力供給ユニットに接続されず、スイッチが第二操作位置に置かれると、モーターは第四加熱素子に直列接続されてから第二加熱素子と第三加熱素子に並列接続されることを特徴とする請求項１７の携帯型ドライヤー。
【請求項１９】
前記スイッチが第一操作位置に置かれると、第二加熱素子と第四加熱素子はいずれも電力供給ユニットに接続されないことを特徴とする請求項１８の携帯型ドライヤー。
【請求項２０】
前記スイッチが第一操作位置に置かれると、第三加熱素子は電力供給ユニットに接続されないことを特徴とする請求項１７の携帯型ドライヤー。
【請求項２１】
前記スイッチは導体と複数の接続ノードを有し、導体は複数の接続ノードに選択的に接続されることによって、電力供給ユニットがモーターと各加熱素子と電気的に接続されないようにさせるか、または電力供給ユニットをモーターと第一加熱素子と第二加熱素子に電気的に接続されるか、もしくは電力供給ユニットをモーターと第二加熱素子と第三加熱素子に電気的に接続することを特徴とする請求項１７の携帯型ドライヤー。
【請求項２２】
前記導体は回転できるように携帯型ドライヤーに設けられ、複数の接続ノードに選択的に接続されることを特徴とする請求項２１の携帯型ドライヤー。
【請求項２３】
前記導体は移動できるように携帯型ドライヤーに設けられ、複数の接続ノードに選択的に接続されることを特徴とする請求項２１の携帯型ドライヤー。
【請求項２４】
前記スイッチがシーソー型であることを特徴とする請求項２１の携帯型ドライヤー。
【請求項２５】
前記携帯型ドライヤーは更に、電力供給ユニットに電気的に接続されて電力供給ユニットの出力電圧レベルを引き上げるための変圧器を含むことを特徴とする請求項１７の携帯型ドライヤー。
【請求項２６】
前記携帯型ドライヤーは更に、電力供給ユニットに電気的に接続されて携帯型ドライヤーの損害を防止するための過負荷保護装置を含むことを特徴とする請求項１７の携帯型ドライヤー。
【請求項２７】
前記加熱素子が加熱フィラメントであることを特徴とする請求項１７の携帯型ドライヤー。
【請求項２８】
携帯型ドライヤーは、
一端に開口を有するハウジングと、
ファンを回転させるモーターと、
モーターに接続される第一加熱素子と、
第二加熱素子と、
第三加熱素子と、
携帯型ドライヤーの作動を制御するスイッチと、
携帯型ドライヤーに必要な電力を供給する電力供給ユニットとを含み、そのうちスイッチがオフ位置に置かれると、電力供給ユニットはモーターと各加熱素子に接続されず、スイッチが第一操作位置に置かれると、モーターは第一加熱素子に直列接続されてから第二加熱素子に並列接続され、スイッチが第二操作位置に置かれると、モーターは第三加熱素子に並列接続されることを特徴とする携帯型ドライヤー。
【請求項２９】
前記携帯型ドライヤーは更に、モーターと第一加熱素子と接続される第四加熱素子を含み、スイッチがオフ位置に置かれると、第四加熱素子は電力供給ユニットと接続されず、スイッチが第二操作位置に置かれると、モーターは第四加熱素子に直列接続されてから第三加熱素子に並列接続されることを特徴とする請求項２８の携帯型ドライヤー。
【請求項３０】
前記スイッチが第一操作位置に置かれると、第二加熱素子と第四加熱素子はいずれも電力供給ユニットに接続されないことを特徴とする請求項２９の携帯型ドライヤー。
【請求項３１】
前記スイッチが第一操作位置に置かれると、第三加熱素子は電力供給ユニットと接続されないことを特徴とする請求項２８の携帯型ドライヤー。
【請求項３２】
前記スイッチは導体と複数の接続ノードを有し、導体は複数の接続ノードに選択的に接続されることによって、電力供給ユニットがモーターと諸加熱素子に電気的に接続されないようにさせるか、または電力供給ユニットをモーターと第一加熱素子と第二加熱素子に電気的に接続されるか、もしくは電力供給ユニットをモーターと第三加熱素子に電気的に接続することを特徴とする請求項２８の携帯型ドライヤー。
【請求項３３】
前記導体は回転できるように携帯型ドライヤーに設けられ、複数の接続ノードに選択的に接続されることを特徴とする請求項３２の携帯型ドライヤー。
【請求項３４】
前記導体は移動できるように携帯型ドライヤーに設けられ、複数の接続ノードに選択的に接続されることを特徴とする請求項３２の携帯型ドライヤー。
【請求項３５】
前記スイッチがシーソー型であることを特徴とする請求項３２の携帯型ドライヤー。
【請求項３６】
前記携帯型ドライヤーは更に、電力供給ユニットに電気的に接続されて電力供給ユニットの出力電圧レベルを引き上げるための変圧器を含むことを特徴とする請求項２８の携帯型ドライヤー。
【請求項３７】
前記携帯型ドライヤーは更に、電力供給ユニットに電気的に接続されて携帯型ドライヤーの損害を防止するための過負荷保護装置を含むことを特徴とする請求項２８の携帯型ドライヤー。
【請求項３８】
前記加熱素子が加熱フィラメントであることを特徴とする請求項２８の携帯型ドライヤー。
【発明の詳細な説明】
【技術分野】
【０００１】
この発明は携帯型ドライヤーに関し、特にさまざまな設定を可能にした携帯型ドライヤーに関する。
【背景技術】
【０００２】
ドライヤーは通常、コードを通して交流電源コンセントに接続されることによって作動する。そのため、ドライヤーの持ち歩き範囲はコードの長さに制限されるのみならず、交流電源の規格（電圧、周波数、コンセント形式など）が異なる国へ旅行する場合も、別途にコンバーターまたは変圧器を用意しなければならず不便である。交流電源を使用するドライヤーにおいて発熱を制御するにはダイオードが必要である。ドライヤーの低温モードでは、単方向導通の特性を有するダイオードは交流電流の１周期の半分を加熱フィラメントに通じ、高温モードでは電流がダイオードに通じないので、全周期の電流は加熱フィラメントに流れ込む。もっとも、ドライヤーのモーターは直流電流で作動するため、直流電流を供給するブリッジ整流器は必要である。
ドイツ特許第198 31 417
A1号は電池で作動して並列接続される加熱素子を有するドライヤーを掲示している。しかし、該特許によるドライヤーのパワーと風速は調整できないのである。
なお、アメリカ合衆国特許第
6,327,428号は、さまざまな加熱効果を実現する複数の加熱フィラメントを含む携帯型ドライヤーを掲示している。該特許による携帯型ドライヤーの回路構造はモーターを種々の速度で回転させることによって、さまざまな風量と温度を提供する。しかし、ドライヤーを作動させるには電力供給ユニットが高電圧を提供しなければならない。
【特許文献１】ドイツ特許第19831 417 A1号公報
【特許文献２】アメリカ合衆国特許第6,327,428号公報
【発明の開示】
【発明が解決しようとする課題】
【０００３】
この発明は前述の問題を解決するため、改良された回路を有し、さまざまな設定を可能にした携帯型ドライヤーを提供することを課題とする。
【課題を解決するための手段】
【０００４】
この発明による携帯型ドライヤーは、一端に開口を有するハウジングと、ファンを回転させるモーターと、モーターに接続される第一加熱素子と、モーターと第一加熱素子に接続される第二加熱素子と、第三加熱素子と、第三加熱素子に接続される第四加熱素子と、携帯型ドライヤーの作動を制御するスイッチと、携帯型ドライヤーに必要な電力を供給する電力供給ユニットとを含む。そのうちスイッチがオフ位置に置かれると、電力供給ユニットはモーターと各加熱素子に接続されない。スイッチが第一操作位置に置かれると、モーターは第一加熱素子に直列接続されてから第三加熱素子に並列接続される。スイッチが第二操作位置に置かれると、第一加熱素子と第二加熱素子は並列接続されてからモーターに直列接続され、更に第三加熱素子と第四加熱素子に並列接続される。
この発明は更に、一端に開口を有するハウジングと、ファンを回転させるモーターと、モーターに接続される第一加熱素子と、モーターと第一加熱素子に接続される第二加熱素子と、第三加熱素子と、第三加熱素子に接続される第四加熱素子と、携帯型ドライヤーの作動を制御するスイッチと、携帯型ドライヤーに必要な電力を供給する電力供給ユニットとを含む携帯型ドライヤーを提供する。そのうちスイッチがオフ位置に置かれると、電力供給ユニットはモーターと諸加熱素子に接続されない。スイッチが第一操作位置に置かれると、モーターは第一加熱素子に直列接続されてから第三加熱素子に並列接続される。スイッチが第二操作位置に置かれると、第一加熱素子と第二加熱素子は並列接続されてからモーターに直列接続され、更に第四加熱素子に並列接続される。
この発明は更に、一端に開口を有するハウジングと、ファンを回転させるモーターと、モーターに接続される第一加熱素子と、第二加熱素子と、第二加熱素子に接続される第三加熱素子と、携帯型ドライヤーの作動を制御するスイッチと、携帯型ドライヤーに必要な電力を供給する電力供給ユニットとを含む携帯型ドライヤーを提供する。そのうちスイッチがオフ位置に置かれると、電力供給ユニットはモーターと諸加熱素子に接続されない。スイッチが第一操作位置に置かれると、モーターは第一加熱素子に直列接続されてから第二加熱素子に並列接続される。スイッチが第二操作位置に置かれると、モーターは第二加熱素子と第三加熱素子に並列接続される。
この発明は更に、一端に開口を有するハウジングと、ファンを回転させるモーターと、モーターに接続される第一加熱素子と第二加熱素子と第三加熱素子と携帯型ドライヤーの作動を制御するスイッチと、携帯型ドライヤーに必要な電力を供給する電力供給ユニットとを含む携帯型ドライヤーを提供する。そのうちスイッチがオフ位置に置かれると、電力供給ユニットはモーターと各加熱素子に接続されない。スイッチが第一操作位置に置かれると、モーターは第一加熱素子に直列接続されてから第二加熱素子に並列接続される。スイッチが第二操作位置に置かれると、モーターは第三加熱素子に並列接続される。
【発明の効果】
【０００５】
この発明によるドライヤーはコンセントでなく内蔵の電力供給ユニットで電力を供給され、その使用範囲はコードの長さとコンセントの形式に制限されない。なお、この発明によるドライヤーはさまざまな風速と温度を有する熱風を発することができる。
【発明を実施するための最良の形態】
【０００６】
かかる装置の特徴を詳述するために、具体的な実施例を挙げ、図面を参照しながら以下に説明する。
【実施例１】
【０００７】
図１を参照する。図１はこの発明による携帯型ドライヤーを表す説明図である。携帯型ドライヤー１０はハウジング１（一端に開口１１を有する）と、電力供給ユニット６（ハウジング１に設けられて、携帯型ドライヤー１０に必要な電力を提供する）と、モーター２（ハウジング１に設けられる）と、加熱素子３（電力供給ユニット６に電気的に接続されて発熱する）と、過負荷保護装置４（電力供給ユニット６に電気的に接続されて過負荷によるドライヤー１０の損害を防止する）とを含む。この実施例において過負荷保護装置４はヒューズまたはサーマルスイッチであるが、この発明ではこの限りでない。携帯型ドライヤー１０は更にスイッチ５と変圧器７（または昇圧器）を含む。スイッチ５は電力供給ユニット６とモーター２と加熱素子３に電気的に接続される。昇圧器７は電力供給ユニット６に電気的に接続され、電力供給ユニット６の電圧レベルを引き上げてより高いレベルでモーター２と加熱素子３を駆動する。
【０００８】
電力供給ユニット６は蓄電池、乾電池、充電電池、燃料電池または電力供給用のマイクロマシン（ＭＥＭＳ）であり、導線１３を通してモーター２と加熱素子３と過負荷保護装置４とスイッチ５に接続されて閉回路を形成する。ファン２１はモーター２に接続され、モーター２はファン２１を回転させて気流を発生する。加熱素子３は第一加熱フィラメント３１と第二加熱フィラメント３３と第三加熱フィラメント３５と第四加熱フィラメント３７（もっとも、４つの加熱フィラメント３１、３３、３５、３７はそれぞれ１本以上の加熱フィラメントを含むことも可能である）を含む。各加熱フィラメントの接続について、まず第一加熱フィラメント３１と第二加熱フィラメント３３に並列接続されてから、モーター２に直列接続される。続いて第三加熱フィラメント３５と第四加熱フィラメント３７に並列接続され、更に全回路をスイッチ５と過負荷保護装置４に接続する。スイッチ５は移動型、シーソー型、回転型のボタン５１を含む。ボタン５１の一側がハウジング１の外側に突き出て、使用者はボタン５１でスイッチ５を操作する。
【０００９】
前述の構造を通じて使用者はボタン５１を移動、押圧、回転させることによって電力供給ユニット６でパワーをモーター２と加熱素子３に出力し、加熱素子３を発熱させて、モーター２とファン２１を回転させる。このように加熱素子３により加熱された空気は開口１１からハウジング１の外に送られる。電力供給ユニット６で電力を供給するため、この発明によるドライヤーの使用範囲はコードの長さまたはコンセントの形式に制限されない。
【００１０】
図２から図４を参照する。図２から図４はこの発明の実施例１によるドライヤーの回路を表す説明図である。この実施例において、スイッチ５はファン型導体５３と複数の接続ノード５５を含む。導体５３は導線１３を介して電力供給ユニット６に接続され、回転軸５７を中心に回転する。電力供給ユニット６は、過負荷保護装置４と、４つの加熱フィラメント３１、３３、３５、３７と、モーター２に接続されて閉回路を形成する。導体５３が回転しない場合、電力供給ユニット６はモーター２と加熱素子３（図２を参照する）に電気的に接続されないので、モーター２は回転せず加熱素子３も発熱しない。
【００１１】
スイッチ５を第一操作位置（図３を参照する）に動かすと、導体５３は回転される。したがって、モーター２と、第一加熱フィラメント３１と、第三加熱フィラメント３５を電力供給ユニット６に接続することによって、電力供給ユニット６で電力を供給する閉回路を形成する。モーター２は第一加熱フィラメント３１に直列接続してから第三加熱フィラメント３５に並列接続する。この場合、第二加熱フィラメント３３と第四加熱フィラメント３７は電力供給ユニット６に接続されない。過負荷保護装置４の抵抗値はモーター２と加熱フィラメント３１、３３、３５、３７の抵抗値を下回るため省略できる。したがって以下の数式１から数式５が得られる。
【数１】
2005066349.tif 000003
【数２】
2005066349.tif 000004
【数３】
2005066349.tif 000005
【数４】
2005066349.tif 000006
【数５】
2005066349.tif 000007
そのうちＲＭはモーター２の内部抵抗値であり、Ｒ１は第一加熱フィラメント３１の抵抗値であり、Ｒ３は第三加熱フィラメント３５の抵抗値であり、Ｖは電力供給ユニット６の合計出力電圧である。
【００１２】
スイッチ５を第二操作位置（図４を参照する）に動かすと、導体５３は電力供給ユニット６を４つの加熱フィラメント３１、３３、３５、３７とモーター２と接続する。この場合、第一加熱フィラメント３１と第二加熱フィラメント３３を並列接続してからモーター２に直列接続し、更に第三加熱フィラメント３５と第四加熱フィラメント３７と並列接続する。したがって以下の数式６から数式１１が得られる。
【数６】
2005066349.tif 000008
【数７】
2005066349.tif 000009
【数８】
2005066349.tif 000010
【数９】
2005066349.tif 000011
【数１０】
2005066349.tif 000012
【数１１】
2005066349.tif 000013
そのうちＲ２は第二加熱フィラメント３３の抵抗値であり、Ｒ４は第四加熱フィラメント３７の抵抗値であり、Ｖは電力供給ユニット６の合計出力電圧である。
【００１３】
図５を参照する。図５はこの発明の実施例１による回路の工率と関連データ表である。前掲の式によれば、Ｗ’Ｍ/ＷＭ＝２、すなわちモーター２の回転速度の増加比は２である。合計工率比Ｗ’/Ｗ＝１．９４、すなわち熱の増加比は１．９４である。そのため、加熱素子３はさまざまな熱を発し、モーター２は種々の速度で回転する。したがってファン２１で種々の風速と温度の空気を吹き出すことが可能である。
【実施例２】
【００１４】
図６から図８を参照する。図６から図８はこの発明の実施例２によるドライヤーの回路を表す説明図である。スイッチ５はファン型導体５３と複数の接続ノード５５を含む。導体５３は導線１３を介して電力供給ユニット６に接続される。接続ノード５５は過負荷保護装置４と、４つの加熱フィラメント３１、３３、３５、３７と、モーター２と接続されて閉回路を形成する。導体５３は複数の接続ノード５５のうちいくつかと電気的に接続するように設計される（または回転される）。導体５３の位置が変わる前に、電力供給ユニット６はモーター２と加熱素子３（図６を参照する）に電気的に接続されないので、モーター２は回転せず加熱素子３も発熱しない。
【００１５】
スイッチ５を第一操作位置（図７を参照する）に動かすと、モーター２と、第一加熱フィラメント３１と、第三加熱フィラメント３５を電力供給ユニット６に接続することによって、電力供給ユニット６で電力を供給する閉回路を形成する。モーター２は第一加熱フィラメント３１に直列接続してから第三加熱フィラメント３５に並列接続する。第二加熱フィラメント３３と第四加熱フィラメント３７は電力供給ユニット６に接続されない。したがって、この場合は図３と同一である。
【００１６】
スイッチ５を第二操作位置（図８を参照する）に動かすと、導体５３は電力供給ユニット６を４つの加熱フィラメント３１、３３、３５、３７とモーター２に接続する。第一加熱フィラメント３１と第二加熱フィラメント３３を並列接続してからモーター２に直列接続し、更に第三加熱フィラメント３５と第四加熱フィラメント３７に並列接続する。したがって、この場合は図４と同一である。
【実施例３】
【００１７】
図９を参照する。図９はこの発明の実施例３によるドライヤーの回路を表す説明図である。この実施例において、スイッチ５はシーソー型であり、ボタンと、Ｈ字型の導体５３と、複数の接続ノード５５を有する。ボタン５１が押される前に、導体５３は接続ノード５５に接続しない。ボタン５１の左端が押されると、導体５３は接続ノード５５のうちの３つに電気的に接続され、第一加熱フィラメント３１と第三加熱フィラメント３５は電力供給ユニット６と電気的に接続される。ボタン５１の右端が押されると、導体５３は接続ノード５５のうちの５つに電気的に接続され、４つの加熱フィラメント３１、３３、３５、３７はいずれも電力供給ユニット６と電気的に接続される。
【実施例４】
【００１８】
図１０を参照する。図１０はこの発明の実施例４によるドライヤーの回路を表す説明図である。この実施例において、スイッチ５は移動可能な導体５３と複数の接続ノード５５を有する。図７におけるスイッチ５と比べて、この実施例による導体５３はオフにされるとき、加熱フィラメント３１、３３、３５、３７のいずれとも電気的に接続しない。導体５３が第一操作位置（ＯＮ１）に置かれると、第一加熱フィラメント３１と第三加熱フィラメント３５は電力供給ユニット６に電気的に接続され、第二加熱フィラメント３３と第四加熱フィラメント３７は電力供給ユニット６に電気的に接続されない。導体５３が第二操作位置（ＯＮ２）に置かれると第二加熱フィラメント３３と第三加熱フィラメント３５と第四加熱フィラメント３７は電力供給ユニット６に電気的に接続され、第一加熱フィラメント３１は電力供給ユニット６に電気的に接続されない。
【００１９】
図１１を参照する。図１１はこの発明の実施例４による回路の工率と関連データ表である。この実施例において、Ｗ’Ｍ/ＷＭ＝２、すなわちモーター２の回転速度の増加比は２である。合計工率比Ｗ’/Ｗ＝１．９４、すなわち熱の増加比は１．９４である。そのため、この発明によるドライヤーの加熱素子はさまざまな熱を発し、モーターは種々の速度で回転する。したがってファン２１で種々の風速と温度の空気を吹き出すことが可能である。注意すべき点は、スイッチ５を第一操作位置ＯＮ１から第二操作位置ＯＮ２に切り替えるときモーター２に相違した回転速度を持たせるため、第二加熱フィラメント３３の抵抗値Ｒ２は第一加熱フィラメント３１の抵抗値Ｒ１と相違しなければならないことである。
【実施例５】
【００２０】
図１２を参照する。図１２はこの発明の実施例５によるドライヤーの回路を表す説明図である。この実施例において、スイッチ５は移動可能な導体５３と複数の接続ノード５５を有する。図１０におけるスイッチ５と類似して、この実施例による導体５３はオフにされるとき、加熱フィラメント３１、３３、３５、３７のいずれとも電気的に接続しない。導体５３が第一操作位置（ＯＮ１）に置かれると、第一加熱フィラメント３１と第三加熱フィラメント３５は電力供給ユニット６に電気的に接続され、第二加熱フィラメント３３と第四加熱フィラメント３７は電力供給ユニット６に電気的に接続されない。導体５３が第二操作位置（ＯＮ２）に置かれると、第一加熱フィラメント３１と第二加熱フィラメント３３と第四加熱フィラメント３７は電力供給ユニット６に電気的に接続され、第三加熱フィラメント３５は電力供給ユニット６に電気的に接続されない。注意すべき点は、スイッチ５を第一操作位置ＯＮ１から第二操作位置ＯＮ２に切り替えるとき相違した熱を発するため、第三加熱フィラメント３５の抵抗値Ｒ３は第四加熱フィラメント３７の抵抗値Ｒ４と相違しなければならず、例えばＲ３＝１かつＲ４＝０．５とすることである。
【００２１】
図１３を参照する。図１３はこの発明の実施例５による回路の工率と関連データ表である。この実施例において、Ｗ’Ｍ/ＷＭ＝２、すなわちモーター２の回転速度の増加比は２である。合計工率比Ｗ’/Ｗ＝１．９４、すなわち熱の増加比は１．９４である。
【実施例６】
【００２２】
図１４を参照する。図１４はこの発明の実施例６によるドライヤーの回路を表す説明図である。この実施例において、スイッチ５は移動可能な導体５３と複数の接続ノード５５を有する。図１０におけるスイッチ５と類似して、この実施例による導体５３はオフにされるとき、加熱フィラメント３１、３３、３５、３７のいずれとも電気的に接続しない。導体５３が第一操作位置（ＯＮ１）に置かれると、第一加熱フィラメント３１と第三加熱フィラメント３５は電力供給ユニット６に電気的に接続され、第二加熱フィラメント３３と第四加熱フィラメント３７は電力供給ユニット６に電気的に接続されない。導体５３が第二操作位置（ＯＮ２）に置かれると、第二加熱フィラメント３３と第四加熱フィラメント３７は電力供給ユニット６に電気的に接続され、第一加熱フィラメント３１と第三加熱フィラメント３５は電力供給ユニット６に電気的に接続されない。この実施例において、ファンを種々の風速を持たせるため、第一加熱フィラメント３１の抵抗値Ｒ１は第二加熱フィラメント３３の抵抗値Ｒ２と相違しなければならず、例えばＲ１＝４かつＲ２＝１．６７とする。なお、さまざまな熱を発するため、第三加熱フィラメント３５の抵抗値Ｒ３は第四加熱フィラメント３７の抵抗値Ｒ４と相違しなければならず、例えばＲ３＝１かつＲ４＝０．５とする。
【００２３】
図１５を参照する。図１５はこの発明の実施例６による回路の工率と関連データ表である。この実施例において、Ｗ’Ｍ/ＷＭ＝２、すなわちモーター２の回転速度の増加比は２である。合計工率比Ｗ’/Ｗ＝１．９４、すなわち熱の増加比は１．９４である。
【実施例７】
【００２４】
前掲の実施例において、第二加熱フィラメント３３はスイッチ５が第二操作位置ＯＮ２に置かれるとき発熱する。しかし、第二加熱フィラメント３３をなくしてもこの発明によるドライヤーは依然として作動できる。図１６を参照する。図１６はこの発明の実施例７によるドライヤーの回路を表す説明図である（加熱フィラメント３３がない）。実施例２と比べて、この実施例による導体５３はオフにされるとき、加熱フィラメント３１、３５、３７のいずれとも電気的に接続しない。スイッチ５が第一操作位置（ＯＮ１）に切り替わると、モーター２は第一加熱フィラメント３１に直列接続してから第三加熱フィラメント３５に並列接続し、第四加熱フィラメント３７は電力供給ユニット６に電気的に接続しない。スイッチ５が第二操作位置（ＯＮ２）に切り替わると、モーター２と第三加熱フィラメント３５と第四加熱フィラメント３７は並列接続し、第一加熱フィラメント３１は電力供給ユニット６に電気的に接続しない。
【００２５】
図１７を参照する。図１７はこの発明の実施例７による回路の工率と関連データ表である。この実施例において、Ｗ’Ｍ/ＷＭ＝２、すなわちモーター２の回転速度の増加比は２である。合計工率比Ｗ’/Ｗ＝１．９１、すなわち熱の増加比は１．９１である。
【実施例８】
【００２６】
図１８を参照する。図１８はこの発明の実施例８によるドライヤーの回路を表す説明図である。実施例７と比べて、この実施例による導体５３はオフにされるとき、加熱フィラメント３１、３５、３７のいずれとも電気的に接続しない。スイッチ５が第一操作位置（ＯＮ１）に切り替わると、モーター２は第一加熱フィラメント３１に直列接続してから第三加熱フィラメント３５に並列接続し、第四加熱フィラメント３７は電力供給ユニット６に電気的に接続しない。スイッチ５が第二操作位置（ＯＮ２）に切り替わると、モーター２は第四加熱フィラメント３７に並列接続し、第一加熱フィラメント３１と第三加熱フィラメント３５は電力供給ユニット６に電気的に接続しない。この実施例において、さまざまな熱を発するため、第三加熱フィラメント３５の抵抗値Ｒ３は第四加熱フィラメント３７の抵抗値Ｒ４と相違しなければならず、例えばＲ３＝１かつＲ４＝０．５とする。
【００２７】
図１９を参照する。図１９はこの発明の実施例８による回路の工率と関連データ表である。この実施例において、Ｗ’Ｍ/ＷＭ＝２、すなわちモーター２の回転速度の増加比は２である。合計工率比Ｗ’/Ｗ＝１．９１、すなわち熱の増加比は１．９１である。
注意すべき点は、図１６から図１８におけるスイッチ５は移動型、シーソー型、回転型であり（ボタンの一側がドライヤーのハウジングの外側に突き出る）、複数の接続ノードを電気的に接続することである。
【００２８】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２９】
この発明によるドライヤーはコンセントでなく内蔵の電力供給ユニットで電力を供給され、その使用範囲はコードの長さとコンセントの形式に制限されない。なお、この発明によるドライヤーはさまざまな風速と温度を有する熱風を発することができる。
【図面の簡単な説明】
【００３０】
【図１】この発明による携帯型ドライヤーを表す説明図である。
【図２】この発明の実施例１によるドライヤーの回路を表す第一説明図である。
【図３】この発明の実施例１によるドライヤーの回路を表す第二説明図である。
【図４】この発明の実施例１によるドライヤーの回路を表す第三説明図である。
【図５】この発明の実施例１による回路の工率と関連データ表である。
【図６】この発明の実施例２によるドライヤーの回路を表す第一説明図である。
【図７】この発明の実施例２によるドライヤーの回路を表す第二説明図である。
【図８】この発明の実施例２によるドライヤーの回路を表す第三説明図である。
【図９】この発明の実施例３によるドライヤーの回路を表す説明図である。
【図１０】この発明の実施例４によるドライヤーの回路を表す説明図である。
【図１１】この発明の実施例４による回路の工率と関連データ表である。
【図１２】この発明の実施例５によるドライヤーの回路を表す説明図である。
【図１３】この発明の実施例５による回路の工率と関連データ表である。
【図１４】この発明の実施例６によるドライヤーの回路を表す説明図である。
【図１５】この発明の実施例６による回路の工率と関連データ表である。
【図１６】この発明の実施例７によるドライヤーの回路を表す説明図である。
【図１７】この発明の実施例７による回路の工率と関連データ表である。
【図１８】この発明の実施例８によるドライヤーの回路を表す説明図である。
【図１９】この発明の実施例８による回路の工率と関連データ表である。
【符号の説明】
【００３１】
１                        ハウジング
２                        モーター
３                        加熱素子
４                        過負荷保護装置
５                        スイッチ
６                        電力供給ユニット
７                        変圧器
１０                      携帯型ドライヤー
１１                      開口
１３                      導線
２１                      ファン
３１、３３、３５、３７    加熱フィラメント
５１                      ボタン
５３                      導体
５５                      接続ノード
５７                      回転軸
【図１】
2005066349.tif 000014
【図２】
2005066349.tif 000015
【図３】
2005066349.tif 000016
【図４】
2005066349.tif 000017
【図５】
2005066349.tif 000018
【図６】
2005066349.tif 000019
【図７】
2005066349.tif 000020
【図８】
2005066349.tif 000021
【図９】
2005066349.tif 000022
【図１０】
2005066349.tif 000023
【図１１】
2005066349.tif 000024
【図１２】
2005066349.tif 000025
【図１３】
2005066349.tif 000026
【図１４】
2005066349.tif 000027
【図１５】
2005066349.tif 000028
【図１６】
2005066349.tif 000029
【図１７】
2005066349.tif 000030
【図１８】
2005066349.tif 000031
【図１９】
2005066349.tif 000032
【外国語明細書】
MULTIPLE-SETTING PORTABLE DRYER
AND circuit designs THEREOF
The present
invention relates to a multiple-setting portable dryer and related
circuit designs according to the pre-characterizing clause of
claims 1, 9, 17, and 28.
Conventionally, a
dryer is operable only after establishing connection with an AC power plug
through a power cord.  The use of
the dryer is then limited by the length of the cord to the area that can be
reached by the cord from the AC power receptacle. Therefore, it is very
inconvenient for traveling purposes, in particular, when traveling in countries
where the AC power specifications, such as voltages, cycles, and receptacles vary
from one to another.  Different
converters and transformers are needed if the user wants to use a conventional
dryer.  Furthermore, since the
conventional AC powered dryers are powered by AC currents with sinusoidal
amplitudes, most use a diode to control the generation of heat.  When the switch is shifted to low heat,
the one-way conduction property of the diode filters out a half cycle of the AC
current that passes through the heating filament.  When the switch is shifted to high heat,
the current to the heating filament does not go through the diode so that heat
can be generated in full output.  At
the same time, in order to provide a DC current to the motor, an additional
bridge rectifier has to be employed to supply the needed DC power.
A battery-operated portable dryer having parallel
heating units is known from Patent DE 198 31 417 A1. However, this prior art
fails to allow multiple, user-selectable power and air flow levels.
Another
typical portable dryer is disclosed in US 6,327,428, which is incorporated
herein by reference. The portable dryer comprises a plurality of heating
filaments for generating different levels of heat. A motor of the portable
dryer is capable of running at different speeds so that a fan of the portable
dryer can blow different volumes of air and heat for the convenience of the
user.
This in
mind, the present invention aims at providing a
multiple-setting portable dryer having advantageous circuit designs.
This
is achieved by a multiple-setting portable dryer
according to claims 1, 9, 17, and 28. The
dependent claims pertain to corresponding further developments and improvements.
As will be
seen more clearly from the detailed description following below, the claimed portable
dryer includes a housing, a power unit for supplying electric power to the
portable dryer, a motor having a fan installed inside the housing, four heating
filaments electrically connected to the power unit for generating heat, and a
switch electrically connected to the power unit. When the portable dryer
operates, the power unit supplies electric power to the motor and the heating
filaments, causing the heating filaments to generate heat, and the motor to
drive the fan and thus blow out hot air generated by the heating filaments. The
speed of the motor can be controlled by the switch to obtain different levels
of airflow and heat.
In the following, the invention is further
illustrated by way of example, taking reference to the accompanying drawings.
Thereof
Fig.
1 is a schematic view of a portable dryer according to the present invention.
Figs.
2 to 4 are circuit diagrams of a first circuit according to the present
invention.
Fig.
5 shows the calculation of power generated from the first circuit in Figs. 2-4.
Figs.
6 to 8 are circuit diagrams of a second circuit according to the present
invention.
Fig.
9 shows exploded diagram of a third switch according to the present invention.
Fig.
10 shows a circuit diagram of a fourth circuit of a switch according to the
present invention.
Fig.
11 shows the calculation of power generated from a circuit of a portable dryer
having the switch in Fig. 10.
Fig.
12 shows a circuit diagram of a fifth circuit of a switch according to the
present invention.
Fig.
13 shows the calculation of power generated from a circuit of a portable dryer
having the switch in Fig. 12.
Fig.
14 shows a circuit diagram of a sixth circuit of a switch according to the
present invention.
Fig.
15 shows the calculation of power generated from a circuit of a portable dryer
having the switch in Fig. 14.
Fig.
16 shows a circuit diagram of a seventh circuit of a switch according to the
present invention.
Fig.
17 shows the calculation of power generated from the seventh circuit in Fig. 16.
Fig.
18 shows a circuit diagram of an eighth circuit of a switch according to the
present invention.
Fig.
19 shows the calculation of power generated from the eighth circuit in Fig. 18.
Please
refer to Fig.1, which is a schematic view of a portable dryer 10 according to
the present invention. The portable dryer 10 has a housing 1 with an opening 11
on one end thereof, a power unit 6 installed in the housing 1 for supplying electric
power to the portable dryer 10, a motor 2 installed inside the housing 1, an
electric heating element 3 electrically connected to the power unit 6 for
generating heat, and an overload protection device 4 electrically connected to the
power unit 6 for preventing damage to the portable dryer 10. In the preferred
embodiment, the overload protection device 4 could be a fuse or a thermal
switch. However, this should not be construed to mean that only fuses could be
used as overload protection devices. The portable dryer 10 further includes a
switch 5 and a transformer (voltage booster) 7. The switch 5 is electrically connected
to the power unit 6, the motor 2, and the electric heating element 3. The booster
7 is electrically connected to the power unit 6 for boosting the voltage level
of the power unit 6 so that a greater voltage level is output to the motor 2
and the electric heating element 3.
The
power unit 6 can be a storage battery, dry-cell battery, a rechargeable
battery, a fuel cell, or a micro-electro-mechanical system (MEES) capable of
outputting electric energy. It is connected to the motor 2, the electric
heating element 3, the overload protection device 4, and the switch 5 via wires
13, forming a closed circuit loop. 
A fan 21 is coupled to the motor 2 so that the motor 2 can rotate the
fan 21 to produce airflow.  The
electric heating element 3 comprises a first heating filament 31, a second
heating filament 33, a third heating filament 35, and a fourth heating filament
37 (in the current embodiment, the four heating filaments 31, 33, 35, 37 can
each be formed by more than one heating filament). The first heating filament
31 and the second heating filament 33 first connect to the motor 2 in series,
which are then connected to the third heating filament 35 and fourth heating
filament 37 in parallel, the circuit thus formed is then connected to the
switch 5 and the overload protection device 4.  The switch 5 is provided with a movable,
seesaw, or rotatable button 51 with one end
protruding out of the housing 1 so that a user can control the switch 5 by
using the button 51.
With the above configuration, the user can
push or rotate the button 51 to an on position so that electric power is
supplied from the power unit 6 to the motor 2 and the electric heating element
3, causing the electric heating element 3 to generate heat and the motor 2 to
drive the fan 21 so that hot air generated by the electric heating element 3 is
blown out of the housing 1 from the opening 11.  Since the electric power is supplied by
the power unit 6, the use of the dryer will not be limited by the length of a
wire connecting the dryer and a receptacle.
Please refer to Figs. 2 to 4, which are
circuit diagrams of a first circuit according to the present invention. In this
embodiment, the switch 5 comprises a fan shaped conductor 53 and a plurality of
connecting nodes 55. The conductor 53 is coupled to the power unit 6 via a wire
13, and the conductor 53 is rotatable about a pivot
57 of the switch 5. The power unit 6 is coupled to the overload protection
device 4, the four heating filaments 31, 33, 35, 37, and the motor 2, forming a
closed circuit loop.  When the
conductor 53 is not rotated, the power unit 6 is not electrically connected to
the motor 2 and the electric heating element 3 (as shown in Fig. 2) so that the
motor 2 does not run and the electric heating element 3 does not generate heat.
By turning the switch 5 to a first operation
position (as shown in Fig. 3), the conductor 53 is rotated so that the motor 2
and the first and third heating filaments 31, 35 are electrically connected to
the power unit 6, forming a closed circuit loop powered by the power unit
6.  The motor 2 electrically connects
to the first heating filament 31 in series and to the third heating filament 35
in parallel. In this case, the second and fourth heating filaments 33, 37 are electrically
disconnected from the power unit 6. Since the resistance of the overload
protection device 4 is relatively small compared with the motor 2 and the
heating filaments 31, 33, 35, 37, it is ignored henceforth.  We then have:
the total resistance R=R3(RM+R1)/(RM+R1+R3),
where RM is the internal resistance of the motor 2, R1 is
the resistance of the first heating filament 31, and R3 is the
resistance of the third heating filament 35;
the total current I=V(RM+R1+R3)/R3(RM+R1),
where V is the total output voltage of the power unit 6;
the voltage difference between both ends of
the motor 2 is VM= RM&#8729;V/(RM+R1);
the power generated by the motor 2 is 
WM= RM &#8729;V2/(RM+R1)2;
and
the total power is W=(RM+R1+R3)V2/R3(RM+R1).
By turning the switch 5 to a second operation
position (as shown in Fig. 4), the conductor 53 is rotated to electrically connect
to the power unit 6 with the four heating filaments 31, 33, 35, 37 and the
motor 2. The first and second heating filaments 31, 33 are electrically
connected in parallel and electrically connected to the motor 2 in series and
to the third and fourth heating filaments 35, 37 in parallel. Therefore, we
have:
the total resistance R'= R3R4(RMR1+RMR2+R1R2)/&#65117;R3R4
(R1+R2)+(R3+R4)(RMR1+RMR2+R1R2)&#65118;,
where R2 is the resistance of the second heating filament 33, and R4
is the resistance of the fourth heating filament 37;
the total current I'=V&#8729;&#65117;R3R4
(R1+R2)+(R3+R4)(RMR1+RMR2+R1R2)&#65118;/
R3R4(RMR1+RMR2+R1R2),
where V is the total output voltage of the power unit 6;
the voltage difference between both ends of
the motor 2 is V'M= RM(R1+R2)&#8729;V/(RMR1+RMR2+R1R2);
the current on the motor 2 is I'M=
(R1+R2)&#8729;V/(RMR1+RMR2+R1R2);
the power generated by the motor 2 is 
W'M= RM(R1+R2)2&#8729;V2/(RMR1+RMR2+R1R2)2;
and
the total power is W'=V2&#8729;&#65117;R3R4
(R1+R2)+(R3+R4)(RMR1+RMR2+R1R2)&#65118;/
R3R4(RMR1+RMR2+R1R2).
Please reference Fig. 5, which shows power
generated from the first circuit. 
One can calculate from the above equations that W'M/WM=2,
which means that the rotational speed of the motor 2 is increased by a factor
of 2.  The total power ratio W'/W=1.94,
which means that the heat is increased by a factor of 1.94.  Therefore, the electric heating device 3
is capable of generating different amounts of heat and the motor 2 is capable
of running at different speeds, allowing the fan 21 to blow out hot air with
different speeds and temperatures.
Figs. 6 to 8 illustrate circuit diagrams of a
second circuit according to the present invention. The switch 5 comprises a fan
shaped conductor 53 and a plurality of connecting nodes 55. The conductor 53 is
coupled to the power unit 6 via a wire 13. The connecting nodes 55 are coupled
to an overload protection device 4, the heating filaments 31, 33, 35, 37, and
the motor 2, forming a closed circuit loop.  The conductor 53 can be positioned (or
shifted) to electrically contact any of the plurality of connecting nodes 55. When
the conductor 53 is not so positioned, the power unit 6 is not electrically
connected with the motor 2 and the electric heating element 3 (as shown in Fig.
6) so that the motor 2 does not run and the electric heating element 3 does not
generate heat.
By shifting the conductor 53 to a first
operation position (as shown in Fig. 7), the motor 2 and the first and third heating
filaments 31, 35 become electrically connected with the power unit 6, forming a
closed circuit loop powered by the power unit 6. The motor 2 electrically
connects to the first heating filament 31 in series and to the third heating
filament 35 in parallel. The second and fourth heating filaments 33, 37 are electrically
disconnected from the power unit 6. The situation is the same as that shown in
Fig. 3.
By shifting the conductor 53 to a second
operation position (as shown in Fig. 8), the conductor 53 electrically connects
to the power unit 6 with the four heating filaments 31, 33, 35, 37 and the
motor 2. The first and second heating filaments 31, 33 are electrically
connected in parallel and electrically connected to the motor 2 in series and
to the third and fourth heating filaments 35, 37 in parallel. The situation is
the same as that shown in Fig. 4.
Please refer to Fig. 9, which shows an
exploded diagram of a third switch 5 according to the present invention. In
this embodiment, the switch 5 is a push-button switch and comprises a button, a
conductor 53, and a plurality of connecting nodes 55. The conductor 53 is
approximately “H” shaped. When the button 51 of the switch 5 is not pushed, the
conductor 53 is not electrically connected to the connecting nodes 55. When the
right side of the button 51 is pushed down, the conductor 53 electrically
connects to three of the connecting nodes 55 so that the first and third
heating filaments 31, 35 electrically connect to the power unit 6. When the
left side of the button 51 is pushed down, the conductor 53 electrically
connects to five of the connecting nodes 55 so that the four heating filaments
31, 33, 35, 37 electrically connect to the power unit 6.
Please refer to Fig. 10, which shows a circuit
diagram of a fourth circuit of a switch 5 according to the present invention.
The switch 5 comprises a shiftable conductor 53 and a
plurality of connecting nodes 55. Similar to the switch 5 shown in Fig. 7, in
this embodiment, the conductor 53 is electrically disconnected from all the
heating filaments 31, 33, 35, and 37 when the conductor 53 is positioned at an
OFF position. When the conductor 53 is positioned at a first operation position
ON1, the first and third heating filaments 31, 35 electrically connect to the power
unit 6, and the second and fourth heating filaments 33, 37 are electrically
disconnected from the power unit 6. However, when the conductor 53 is
positioned at a second operation position ON2, the second, third and fourth
heating filaments 33, 35, 37 electrically connect to the power unit 6, and the
first heating filament 31 electrically disconnects from the power unit 6.
Please reference Fig. 11, which shows power
generated from the fourth circuit. 
One can calculate that W'M/WM=2, which means that
the rotational speed of the motor 2 is increased by a factor of 2.  The total power ratio W'/W=1.94, which
means that the heat is increased by a factor of 1.94.  Therefore, the electric heating device
of the portable dryer can generate different amounts of heat and the motor can run
at different speeds, causing the fan to blow out hot air at different speeds
and temperatures. It is noted that the resistance R2 of the second heating
filament 33 should be different to the resistance R1 of the first heating
filament 31 so that the rotational speed of the motor 2 will changed while the
switch 5 is turned from the first operation position ON1 to the second
operation position ON2.
Fig. 12 shows a circuit diagram of a fifth
circuit of a switch 5 according to the present invention. The switch 5
comprises a shiftable conductor 53 and a plurality of
connecting nodes 55. Similar to the switch 5 shown in Fig. 10, in this
embodiment, the conductor 53 is electrically disconnected from all of the
heating filaments 31, 33, 35, and 37 when the conductor 53 is positioned at an
OFF position. When the conductor 53 is positioned at a first operation position
ON1, the first and third heating filaments 31, 35 are electrically connected to
the power unit 6, and the second and fourth heating filaments 33, 37 are not
electrically connected to the power unit 6. However, when the conductor 53 is
positioned at a second operation position ON2, the first, second, and fourth
heating filaments 31, 33, 37 are electrically connected to the power unit 6,
and the third heating filament 35 is electrically disconnected from the power
unit 6. In this embodiment, the resistance R3 of the third heating filament
35 should be different from the resistance R4 of the fourth heating filament
37 so that different levels of heat can be generated. For example, R3=1Ω
and R4=0.5Ω. Please reference Fig. 13, which shows power generated
from the fifth circuit. One can calculate that W'M/WM=2,
which means that the rotational speed of the motor 2 is increased by a factor
of 2.  The total power ratio W'/W=1.94,
which means that the heat is increased by a factor of 1.94.
Please refer to Fig. 14, which shows a circuit
diagram of a sixth circuit of a switch 5 according to the present invention.
The switch 5 comprises a shiftable conductor 53 and a
plurality of connecting nodes 55. Similar to the switch 5 shown in Fig. 10, in
this embodiment, the conductor 53 is electrically disconnected from all the
heating filaments 31, 33, 35, and 37 when the conductor 53 is positioned at an
OFF position. When the conductor 53 is positioned at a first operation position
ON1, the first and third heating filaments 31, 35 are electrically connected to
the power unit 6, and the second and fourth heating filaments 33, 37 are not
electrically connected to the power unit 6. However, when the conductor 53 is
positioned at a second operation position ON2, the second and fourth heating filaments
33, 37 are electrically connected to the power unit 6, and the first and the
third heating filaments 31, 35 are electrically disconnected from the power
unit 6. In the embodiment, the resistance R1 of the first heating filament
31 should be different from the resistance R2 of the second heating filament
33 so that the fan blows out different airflow. For example, R1=4Ω
and R2=1.67Ω. The resistance R3 of the third heating filament
35 should be different from the resistance R4 of the fourth heating filament
37 so that different strengths of heat can be generated. For example, R3=1Ω
and R4=0.5Ω. Please reference Fig. 15, which shows power generated
from the sixth circuit. One can calculate that W'M/WM=2,
which means that the rotational speed of the motor 2 is increased by a factor
of 2.  The total power ratio W'/W=1.94,
which means that the heat is increased by a factor of 1.94.
In the above embodiments, the second heating filament
33 is used to generate heat when the switch 5 is turned to the second operation
position ON2. However, the portable dryer will work regularly even without the
second heating filament 33. Please refer to Fig. 16, which is a circuit diagram
of a seventh circuit without the heating filament 33 according to the present
invention. Similar to the second circuit shown in Figs. 6-8, in this
embodiment, the conductor 53 is electrically disconnected from all the heating filaments
31-37 and the motor 2 when the conductor 53 is positioned at an OFF position.
When the switch 5 is turned to a first operation position ON1, the motor 2 electrically
connects to the first heating filament 31 in series and then to the third heating
filament 35 in parallel, and the fourth heating filament 37 electrically
disconnects from the power unit 6. When the switch 5 is turned to a second
operation position ON2, the motor 2, the third heating filament 35, and the
fourth heating filament 37 are electrically connected in parallel, and the
first heating filament 31 electrically disconnects from the power unit 6.
Please reference Fig. 17, which shows power generated from the seventh circuit.
One can calculate that W'M/WM=2, which means that the
rotational speed of the motor 2 is increased by a factor of 2. The total power
ratio W'/W=1.91, which means that the heat is increased by a factor of 1.91.
Please refer to Fig. 18, which is a circuit
diagram of an eighth circuit according to the present invention. Similar to the
seventh circuit shown in Fig. 16, in this embodiment, the conductor 53 is
electrically disconnected from all the heating filaments 31-37 and the motor 2
when the conductor 53 is positioned at an OFF position. When the switch 5 is turned
to a first operation position ON1, the motor 2 electrically connects to the
first heating filament 31 in series and then to the third heating filament 35
in parallel, and the fourth heating filament 37 electrically disconnects from
the power unit 6. When the switch 5 is turned to a second operation position
ON2, the motor 2 electrically connects to the fourth heating filament 37 in
parallel, and the first and the third heating filaments 31, 35 electrically
disconnects from the power unit 6. In this embodiment, the resistance R3
of the third heating filament 35 should be different from the resistance R4
of the fourth heating filament 37 so that different levels of heat can be
generated. For example, R3=1Ω and R4=0.5Ω. Please
reference Fig. 19, which shows power generated from the eighth circuit. One can
calculate that W'M/WM=2, which means that the rotational
speed of the motor 2 is increased by a factor of 2. The total power ratio W'/W=1.91,
which means that the heat is increased by a factor of 1.91.
It is noted that each of the switches 5 in
Fig. 16 and Fig. 18 also can be provided with a shiftable,
seesaw, or rotatable button with one end protruding
out of the housing of the portable dryer for establishing electrical connections
among the plurality of connecting nodes 55.
Compared to the related art, the portable
dryers of the present invention are powered by its own power units, not by
power cords. Thus, their usage is not limited by proximity to power receptacles.
Moreover, through different arrangements of the electric heating device, the power
of the motor is related to the power of the heating filaments so that different
strengths of heat can be generated and the motor therein can run at different
speeds to allow the fan blow out different volumes of air and heat for the
convenience of the user.
Claims
1.  A portable dryer (10) comprising:
a housing (1) with an opening (11) at one end thereof;
a motor (2) having a fan (21) installed inside the
housing (1);
a first heating filament (31) coupled to the motor (2);
a second heating filament (33) coupled to the motor (2)
and the first heating filament (31);
a third heating filament (35);
a fourth heating filament (37) coupled to the third heating
filament (35);
a switch (5) for controlling operations of the portable
dryer (10); and
a power unit (6) for supplying electric power;
characterized in that the power unit (6) is electrically disconnected from the motor (2) and
all electric heating filaments (31, 33, 35, and 36) when the switch (5) is turned
to an off position (OFF), the motor (2) is electrically connected to the first heating
filament (31) in series and then to the third heating filament (35) in parallel
when the switch (5) is turned to a first operation position (ON1), and both the
first heating filament (31) and the second heating filament (33) are
electrically connected in parallel and electrically connected to the motor (2) in
series and then to both the third heating filament (35) and the fourth heating
filament (37) in parallel when the switch (5) is turned to a second operation
position (ON2).
2.  The portable
dryer (10) of claim 1 characterized in that when the switch (5) is turned to the first operation position (ON1),
the second heating filament (33) and the fourth heating filament (37) are electrically
disconnected from the power unit (6).
3.  The portable dryer (10) of claim 1 characterized in that the switch (5) comprises a conductor (53) and a plurality of connecting
nodes (55), the conductor (53) able to establish electrical connections among
the plurality of connecting nodes (55) so that the power unit (6) is
electrically disconnected from the motor (2) and the heating filaments (31, 33,
35, and 37), or electrically connected with both the motor (2) and the third heating
filament (35), or electrically connected with the motor (2), the third heating
filament (35), and the fourth heating filament (37).
4.  The portable dryer (10) of claim 3
characterized in
that the conductor (53) is rotatably
installed to establish electrical connections among the plurality of connecting
nodes (55).
5.  The portable dryer (10) of claim 3
characterized in
that the conductor (53) is shiftable
to establish electrical connections among the plurality of connecting nodes
(55).
6.  The portable dryer (10) of claim 3
characterized in
that the switch (5) is a push-button switch.
7.  The portable dryer (10) of claim 1 characterized by further comprising a
transformer (7) electrically connected to the power unit (6) for boosting an outputted voltage level of the power unit (6).
8.   The portable dryer (10) of claim 1 characterized by further comprising an overload protection device (4) electrically connected
to the power unit (6) for preventing
damage to the portable dryer (10).
9.   A portable (10) dryer comprising:
a housing (1) with an
opening (11) at one end thereof;
a motor (2) having a fan (21) installed inside the housing (1);
a first heating filament (31) coupled to the motor (2);
a second heating filament (33) coupled to the motor (2) and the first heating filament (31);
a third heating filament (35);
a fourth heating filament (37) coupled to the third heating filament (35);
a switch (5) for
controlling operations of the portable dryer (10); and
a power unit (6) for supplying
electric power;
characterized in the power unit (6) is electrically
disconnected from the motor (2) and all electric
heating filaments  (31, 33, 35, and
36) when the switch (5) is turned to an off position (OFF), the motor (2) is electrically
connected to the first heating filament (31) in series and then to the third heating
filament (35) in parallel when the switch (5) is turned to a first operation
position (ON1), and the third heating filament (35) is electrically disconnected
to the power unit (6) and both the first heating filament (31) and the second heating
filament (33) are connected in parallel and electrically connected to the motor
(2) in series and then to the fourth heating filament (37) in parallel when the
switch (5) is turned to a second operation position (ON2).
10.  The portable
dryer (10) of claim 9
characterized in when the switch (5) is turned to the first
operation position (ON1), the second heating filament (33) and the fourth heating
filament (37) are electrically disconnected from the power unit (6).
11.  The portable dryer (10) of claim 9 characterized in the switch (5) comprises
a conductor (53) and a plurality of connecting nodes (55), the conductor (53) able
to establish electrical connections among the plurality of connecting nodes (55)
so that the power unit (6) is electrically disconnected from the motor (2) and
the heating filaments (31, 33, 35, and 37), or electrically connected with both
the motor (2) and the third heating filament (35), or electrically connected
with both the motor (2) and the fourth heating filament (37).
12.  The portable dryer (10) of claim 11 characterized in the conductor (53) is rotatably installed to establish electrical connections among
the plurality of connecting nodes (55).
13.  The portable dryer (10) of claim 11 characterized in the conductor (53) is shiftable to establish electrical connections among the
plurality of connecting nodes (55).
14.  The portable dryer (10) of claim 11 characterized in the switch (5) is a push-button switch.
15.  The portable dryer (10) of claim 9 characterized by further comprising a transformer
(7)
electrically connected to the power unit (6) for boosting an outputted
voltage level of the power unit (6).
16.  The portable dryer (10) of claim 9 characterized by further comprising an
overload protection device (4) electrically connected to
the power unit (6) for preventing damage to the portable dryer (10).
17. A portable dryer
(10)
comprising:
a housing (1) with an opening (11) at one end
thereof;
a motor (2) having a fan (21) installed
inside the housing (1);
a first heating element (31) coupled to the
motor (2);
a second heating element (35);
a third heating element (37) coupled to the
second heating element (35);
a switch (5) for controlling operations of
the portable dryer (10); and
a power unit (6) for supplying electric
power;
characterized in the power unit (6) is electrically disconnected from the
motor (2) and all of the heating elements (31, 35, and 37) when the switch (5) is
turned to an off position (OFF), the motor (2) is electrically connected to the
first heating element (31) in series and then to the second heating element
(35) in parallel when the switch (5) is turned to a first operation position
(ON1), and the motor (2) is electrically connected to both the second heating
element (35) and the third heating element (37) in parallel and the first heating
element (31) is electrically disconnected from the power unit (6) when the
switch (5) is turned to a second operation position (ON2).
18. The portable dryer (10) of claim 17 characterized by further comprising a fourth heating element (33) coupled to the motor (2)
and the first heating element (31), the
fourth heating element (33) is electrically
disconnected from the power unit (6) when the
switch (5) is turned to the off position (OFF), and the motor (2) is
electrically connected to the fourth heating element (33)
in series and then to both the second heating element (35) and the third heating element (37) in parallel when the switch (5) is turned to the second operation position (ON2).
19.  The portable
dryer (10) of claim 18, wherein when the switch
(5) is turned to the first operation position (ON1), the second heating element (35) and the fourth heating element (33) are electrically disconnected from the power
unit (6).
20. The portable
dryer (10) of claim 17
characterized in when the switch (5) is turned to the
first operation position (ON1), the third heating element (37) is electrically
disconnected from the power unit (6).
21. The portable dryer (10) of claim 17 characterized in
the switch (5) comprises a conductor (53) and a plurality
of connecting nodes (55), the conductor (53) able to establish electrical connections
among the plurality of connecting nodes (55) so that the power unit (6) is
electrically disconnected from the motor (2) and the heating elements (31, 35,
and 37), or electrically connected with the motor (2), the first heating
element (31), and the second heating element (35), or electrically connected
with the motor (2), the second heating element (35), and the third heating
element (37).
22. The portable dryer (10) of claim 21 characterized in
the conductor (53) is rotatably
installed to establish electrical connections among the plurality of connecting
nodes (55).
23. The portable dryer (10) of claim 21 characterized in
the conductor (53) is shiftable
to establish electrical connections among the plurality of connecting nodes
(55).
24. The portable dryer (10) of claim 21 characterized in
the switch (5) is a push-button
switch.
25. The
portable dryer (10) of claim 17 characterized by further
comprising a transformer (7) electrically
connected to the power unit (6) for
boosting an outputted voltage level of the power unit
(6).
26. The portable dryer (10) of claim 17 characterized by further comprising an overload protection device (4) electrically connected to the power
unit (6) for preventing damage to the
portable dryer (10).
27. The portable dryer (10) of claim 17 characterized in
the heating elements are heating filaments.
28. A portable dryer (10) comprising:
a housing (1) with an opening (11) at one end
thereof;
a motor (2) having a fan (21) installed
inside the housing (1);
a first heating element (31) coupled to the
motor (2);
a second heating element (35);
a third heating element (37);
a switch (5) for controlling operations of
the portable dryer (10); and
a power unit (6) for supplying electric
power;
characterized in the power unit (6) is electrically disconnected
from the motor (2) and all of the heating elements (31, 35, and 37) when the
switch (5) is turned to an off position (OFF), the motor (2) is electrically
connected to the first heating element (31) in series and then to the second heating
element (35) in parallel when the switch (5) is turned to a first operation
position (ON1), and the motor (2) is electrically connected to the third heating
element (37) in parallel and both the first heating element (31) and the second
heating element (35) are electrically disconnected from the power unit (6) when
the switch (5) is turned to a second operation position (ON2).
29. The portable dryer (10) of claim 28 characterized by further comprising a fourth heating element (33) coupled to the motor (2)
and the first heating element (31), the
fourth heating element (33) is electrically
disconnected from the power unit (6) when the
switch is turned to the off position (OFF),
and the motor (2) is electrically connected to
the fourth heating element (33) in series and then to the third heating element
(37) in parallel when the switch (5) is turned to the second operation position
(ON2).
30. The portable
dryer (10) of claim 29
characterized in when the switch (5) is turned to the first operation
position (ON1), the second heating element (35) and the fourth heating element
(33) are electrically disconnected from the power unit (6).
31. The portable
dryer (10) of claim 28 characterized in when the switch (5) is turned to the first operation position (ON1), the third heating element (37) is electrically disconnected from the power unit (6).
32. The portable
dryer (10) of claim 28 characterized in the switch (5) comprises a conductor (53)
and a plurality of connecting nodes (55), the
conductor (53) able to establish electrical
connections among the plurality of connecting nodes (55) so that the power unit (6) is
electrically disconnected from the motor (2) and
the heating elements (31, 35, and 37), or
electrically connected with the motor (2), the
first heating element (31), and the second heating
element (35), or electrically connected with both
the motor (2) and the third heating element (37).
33. The portable dryer (10) of claim 32 characterized in
the conductor (53) is rotatably installed to establish electrical connections among
the plurality of connecting nodes (55).
34. The portable dryer (10) of claim 32 characterized in
the conductor (53) is shiftable to establish electrical connections among the
plurality of connecting nodes (55).
35. The portable dryer (10) of claim 32 characterized in
the switch (5) is a push-button switch.
36. The
portable dryer (10) of claim 28 characterized by further comprising a transformer (7) electrically connected to the power
unit (6) for boosting an outputted voltage level of
the power unit (6).
37. The portable dryer (10) of claim 28 characterized by
further comprising an overload protection device (4) electrically connected to the power
unit (4) for preventing damage to the portable dryer (10).
38. The portable dryer (10) of claim 28 characterized in
the heating elements (31, 35, and 37) are heating filaments.
ABSTRACT
A portable dryer (10) includes a housing (1), a motor (2)
installed with a fan (21) inside the housing (1), a power unit (6) for
supplying electric power to the portable dryer (10), a switch (5) electrically
connected to the power unit (6), and a plurality heating
filaments (31, 35, and 37) electrically connected to the power unit (6) for
generating heat. Power of the motor (2) is related to power of the heating
filaments (31, 35, and 37).
2005066349.tif 000033
2005066349.tif 000034
2005066349.tif 000035
2005066349.tif 000036
2005066349.tif 000037
2005066349.tif 000038
2005066349.tif 000039
2005066349.tif 000040
2005066349.tif 000041
2005066349.tif 000042
2005066349.tif 000043
2005066349.tif 000044
2005066349.tif 000045
2005066349.tif 000046
2005066349.tif 000047
2005066349.tif 000048
2005066349.tif 000049
2005066349.tif 000050
2005066349.tif 000051